(57)【要約】【課題】  地熱発電は建設場所が火山地帯に限定される。よって、建設場所の制約をなく  し、安全で安定した経済効果のある、常時発電が出来る蒸気発生方法を提供すること。  【解決手段】  本発明は、鉄製またはステンレス製の仕切り板２と傾斜を持たせた密閉の  フタ部分１１を有する加温鍋３と、逆ロート状の発電用の蒸気の出口１９を有する蒸気  発生鍋４がある構造で湯配管パイプ５や蒸気発生パイプ６で連結し、水を注入し、カウ  ンタータイプのＩＨ電磁調理器１ａ、１ｂで加熱する。蒸気発生パイプ２１の下部にあ  る鉄粉や鉄屑の入った枕台２２を、カウンタータイプのＩＨ電磁調理器１ｃで加熱して  蒸気を乾燥さる。発電用の蒸気タービンを回転させる能力がある蒸気を発生させる。【選択図】  図１
2013044452.tif 000002
【特許請求の範囲】
【請求項１】
鉄製またはステンレス製の仕切り板と傾斜を持たせた密閉のフタ部分を有  する加温鍋と、逆ロート状の蒸気を集める構造を有する蒸気発生鍋を、湯配管パイプや  蒸気配管パイプで連結して一体とし、前記加温鍋及び蒸気発生鍋に水を注入し、カウン  タータイプのＩＨ電磁調理器を熱源として前記水を加熱し、蒸気を発生させることを特  徴とする蒸気発生方法。
【請求項２】
請求項１の蒸気発生方法に係る蒸気発生パイプの下部に、鉄製またはステ  ンレス製の、鉄粉や鉄屑の入った枕台を有し、カウンタータイプのＩＨ電磁調理器で加  熱し、湿り蒸気を乾燥蒸気になりやすくした。
【発明の詳細な説明】
【技術分野】
【０００１】
本発明は、仕切り板と傾斜を持たせた密閉のフタ部分を有す加温鍋と、逆ロート状の  構造を有する蒸気発生鍋及び鉄粉や鉄屑の入った枕台を使用して、カウンタータイプの  ＩＨ電磁調理器を熱源とした蒸気発生方法に関する。
【背景技術】
【０００２】
従来の地熱発電は地下１５００メートル以上のボーリングが必要であった。また、
地下から有害物質の砒素排出があり、汲出した水はそのまま放流できなかった。ま
た火山地帯でなければ発電する蒸気の噴出がないのが現実である。
【先行技術文献】
【特許文献】
【０００３】
【特許文献１】特開２００５−０４６７２８号公報（第１項、図１）
【発明の概要】
【発明が解決しようとする課題】
【０００４】
地熱発電は火山地域に建設場所が限定される。ボーリングに要する経費が高くつく。  地下から有害物質の砒素が噴出する。
【課題を解決するための手段】
【０００５】
上記課題を解決する本件発明は、鉄製またはステンレス製の仕切り板２と傾斜を
持たせた密閉のフタ部分１１を有する加温鍋３と、逆ロート状の蒸気を集める構造
を有する蒸気発生鍋４を、湯配管パイプ５や蒸気配管パイプ６で連結して一体とし、
前記加温鍋３及び蒸気発生鍋４に水を注入し、カウンタータイプのＩＨ電磁調理器
１ａ、１ｂを熱源として前記水を加熱し、蒸気を発生させる。初めは外部電源を利
用し、発電後は発電した電気も利用出来るよう切り替え可能な方式を採用する。複
数のカウンタータイプの電磁調理器１ａ、１ｂ、１ｃを使う。
加温鍋３は鉄製またはステンレス製の仕切り板２を有する構造で、外部からの給
水や発電した後の戻り水が、注水できるようにする。また、傾斜を持たせた密閉の
フタ部分１１を有し、最終出口で熱せられた湯が配管パイプ５を通して蒸気発生鍋
４に送られる。発生した蒸気は、蒸気配管パイプ６を通して蒸気発生鍋４に送られ
る構造とする。
蒸気発生鍋４は鉄製またはステンレス製で逆ロート状の蒸気を集める構造を有す
る。上部にある発電用蒸気の出口１９から蒸気発生パイプ２１を通して発生した蒸
気を出す。
蒸気発生パイプ２１の下部にカウンタータイプのＩＨ電磁調理器１ｃを数台設置
し、湿り蒸気を乾燥させる構造とする。
加温鍋３と蒸気発生鍋４の下部は、コンクリートの基礎部１０ａ、１０ｂで支え
る構造を有する。
カウンタータイプのＩＨ電磁調理器１ａ、１ｂは、金属製ワゴン８ａ、８ｂに乗
せ加温鍋３と蒸気発生鍋４の下部に設置する。金属製ワゴン８ａ、８ｂの伸縮調節
リング９ａ、９ｂを回して密着させる。
以上の方法で建設場所の制限をなくし、発電用蒸気を発生させることで上記課題
を解決するものである。
【発明の効果】
【０００６】
本件発明は、熱源に使用しているカウンタータイプのＩＨ電磁調理器１ａ、１ｂ、１  ｃが二酸化炭素を発生しない。加温鍋３や蒸気発生鍋４及び鉄粉や鉄屑の入った枕台２  ２は熱くなるが、カウンタータイプのＩＨ電磁調理器１ａ、１ｂ、１ｃは熱くならない  ので故障しにくい。補給が必要なのは水だけである。大量の水を必要と
しない。有害物質を発生しない。仕切り板２があるので水が仕切りの間を通過する
過程で温められるため、蒸気発生鍋４に送られるときは温度を高く出来る。傾斜を持た  せた密閉のフタ部分１１があることで、発生した蒸気を最上部の空間部２０に集めるこ  とが出来る。高低差と発生した蒸気の圧力を利用して、湯や蒸気を蒸気発生鍋４に送る  ことが出来る。鉄粉や鉄屑の入った枕台２２をカウンタータイプの
ＩＨ電磁調理器１ｃで加熱することで、湿り蒸気を乾燥することが出来る。蒸気発生鍋  ４を拡大し、カウンタータイプのＩＨ電磁調理器１ｂの台数を多くしていけば規模の大  きい発電に対応した蒸気を発生させることが出来る。設備が簡単なので補修や点検が容  易である。建設費が安く、運転コストも低く優れている。
【図面の簡単な説明】
【０００７】
【図１】本件発明の概略の正面図である。
【図２】本件発明の概略の平面図である。
【発明を実施するための形態】
【０００８】
以下，本件発明を実施するための形態について、概略の正面図を参照して説明する    。
（イ）  カウンタータイプのＩＨ電磁調理器１ａ、１ｂを鉄製またはステンレス製の加      温鍋３と蒸気発生鍋４の下部に密着させて、外部電源を利用して過熱する構造であ      る。加温鍋３は水の深さが５０センチ以下とする。鉄製またはステンレス製の高さ      ７０センチのしきり板２を有し、傾斜を持たせた密閉のフタ部分１１とは低いとこ      ろで２０センチの空間を有し、高いところで１メートルの空間を持たせる。発生し      た蒸気が最上部の空間部２０に集まる構造とする。仕切り板２どうしの間隔は２０      センチとする。水は蛇行して流れ、湯の出口１８で温度が上昇する構造とする。水      面１４ａは最高５０センチとし、仕切り板２の上部から２０センチ低くなること。      外部注水パイプ１２からの水や、発電後の戻り水配管パイプ１３を通った水は、傾      斜を持たせた密閉のフタ部分１１の低い場所から注水する。水位計１６ａと水温計      １７ａを有する構造とする。
（ロ）  蒸気発生鍋４は加温鍋３の湯の出口１８から直径２０センチのサイクロイド曲      線を有する湯配管パイプ５を通して湯が入る。蒸気の出口１５から直径２０センチ      の蒸気配管パイプ６を通して蒸気が流入する構造を持つ。加温鍋３は蒸気発生鍋４      より地上５０センチ高い場所がよい。加温鍋３で発生した蒸気は
蒸気発生鍋４の水面１４ｂより常に下に流入することが大切である。蒸気発生鍋４      の上部は逆ロート状で、蒸気を発電用蒸気の出口１９に集める構造とする。出口の      直径は２０センチとする。但し、規模に応じて増減させること。水位計１６ｂと水      温計１７ｂを有する構造とする。水面１４ｂは５０センチ以下とし、高くしないこ      と。また、蒸気発生鍋４の底から発電用蒸気の出口１９までの高さは、２メートル      以内が良い。あまり高くすると湿り蒸気となるので良くない。
（ハ）  発電用蒸気の出口１９から蒸気発生パイプ２１を通して蒸気タービンに蒸
気を供給する。湿り気が多いとタービンが傷つきやすくなるので、蒸気発生パイプ      ２１の下部に鉄粉や鉄屑の入った枕台２２を置く。金属製の設置台２３を有する。      カウンタータイプのＩＨ電磁調理器１ｃで鉄製またはステンレス製の中に鉄粉や鉄      屑の入った枕台２２を加熱し、乾燥蒸気になりやすくする。鉄粉や鉄屑が入った枕      台２２は、蒸気発生パイプ２１の下部半分を包む位のものとする。コンクリートの      基礎部１０ａ、１０ｂは鉄筋入りで厚さ２０センチとし、上部に直径５センチ位の      鉄パイプ７ａ、７ｂが鍋受け状に出ている構造とする。基礎部から基礎部までの間      隔は１．５メートル位とする。
（ニ）  カウンタータイプのＩＨ電磁調理器１ａ、１ｂは設置台として、金属製ワゴン    ８ａ、８ｂを使用する。高さは１．５メートル位とする。これは、補修や点検の対象    となるものだけ移動できる利点がある。脚部にストッパーがあればその場所に留め置    ける。伸縮調節リング９ａ、９ｂを有し、加温鍋３と蒸気発生鍋４に適度な圧力でカ    ウンタータイプのＩＨ電磁調理器１ａ、１ｂを密着させることができる。油圧装置で    は圧力加減が難しいので、手作業が最良の方法である。                              
【符号の説明】
【０００９】
１ａ、１ｂ、１ｃ  カウンタータイプのＩＨ電磁調理器
２  仕切り板
３  加温鍋
４  蒸気発生鍋
５  湯配管パイプ
６  蒸気配管パイプ
７ａ、７ｂ  鉄パイプ
８ａ、８ｂ  金属製ワゴン
９ａ、９ｂ  伸縮調節リング
１０ａ、１０ｂ  コンクリートの基礎部
１１  傾斜を持たせた密閉のフタ部分
１２  外部注水パイプ                                                        
１３  戻り水配管パイプ
１４ａ、１４ｂ  水面
１５  蒸気の出口
１６ａ、１６ｂ  水位計
１７ａ、１７ｂ  水温計
１８  湯の出口
１９  発電用蒸気の出口
２０  最上部の空間部
２１  蒸気発生パイプ
２２  鉄粉や鉄屑の入った枕台
２３  金属製の設置台
【図１】
2013044452.tif 000003
【図２】
2013044452.tif 000004